(57)【要約】【課題】電気掃除機において、細部の掃除中に隙間ノズルを持ち替える必要が無く、また隙間ノズル使用中にホ−スを引っ張っても、本体が容易に転倒しないこと。【解決手段】電動送風機３を内部に収納し吸込具２上方で回動可能に軸支された本体４と、前記本体４と着脱自在に設けられ先端部に中空吸引部１６を有するハンドル５と、前記電動送風機３の吸引力を前記ハンドル５先端の中空吸引部１６に伝達するホース６と、前記吸込具２裏面に回転可能に軸支されたローラー９、１０とを備え、前記本体４の重心をその回動中心より前方に構成としたことにより、本体４を吸込具２前方向に回動させ、本体４からハンドル５を外して、ハンドル５先端の中空吸引部１６より塵埃をすぐに吸引でき、ハンドル５を持つ以外の手で本体４を支える必要もなく、本体４がそのまま転倒することもない、使い勝手のよい電気掃除機を提供できる。【選択図】図１
2006218150.tif 000002
【特許請求の範囲】
【請求項１】
吸込口を有する吸込具と、電動送風機を内部に収納し前記吸込具上方で回動可能に軸支された本体と、前記本体と着脱自在に設けられ先端部に中空吸引部を有するハンドルと、前記電動送風機の吸引力を前記中空吸引部に伝達するホースと、前記吸込具裏面に回転可能に軸支されたローラーとを備え、前記本体の重心を当該本体の回動中心より前方に構成した電気掃除機。
【請求項２】
ホースは本体重心点より下方の吸込具後方近傍より突出し、ハンドルへと連通する請求項１記載の電気掃除機。
【請求項３】
本体を吸込具前方に回動したとき、本体の後方への回動を規制する回動規制手段を設けた請求項１または２記載の電気掃除機。
【請求項４】
本体からハンドルを外した際は、吸込具内の吸込口への吸引力の供給を停止し、ハンドルのみへ吸引力の供給を行なう請求項１〜３のいずれか１項に記載の電気掃除機。
【請求項５】
本体からハンドルを外した際の、吸込具内の吸込口へ供給する吸引力と、ハンドルへ供給する吸引力との比率を調整する吸引力調整手段を設けた請求項１〜３のいずれか１項に記載の電気掃除機。
【発明の詳細な説明】
【技術分野】
【０００１】
本発明は、一般家庭で使用される電気掃除機に関するもので、特に本体移動時の使用性向上に関するものである。
【背景技術】
【０００２】
従来、この種の電気掃除機は、図９に示す様に、床面を掃除するときには、吸込具より塵埃を吸引し、敷居・家具の隙間等を掃除するときには、付属する隙間ノズルより塵埃を吸引するものが多かった（例えば、特許文献１参照）。
【０００３】
図において、電動送風機と集塵室を内臓し接続口１４を下方に設けた本体１５と、接続口１４に屈曲可能に接続される吸込具１６と、本体１５上方に取着したハンドル１７と、接続口１４と集塵室を連通するホ−ス１８を備えた接続管１９と、接続管１９の一端に接続する隙間ノズル２０が設けられている。
【０００４】
上記構成による、作用は以下の通りである。
【０００５】
床面を掃除するときには、吸込具１６を掃除面上に置いた状態でハンドル１７を持ち、吸込具１６より吸引した塵埃を、ホ−ス１８を介して集塵室まで搬送し、敷居・家具の隙間等を掃除するときには、隙間ノズル２０に接続管１９を接続し、隙間ノズル２０を手に持った状態でその先端より塵埃を吸引し、ホ−ス１８を介して集塵室まで搬送する構造になっていた。
【特許文献１】特許第３４９８５００号公報
【発明の開示】
【発明が解決しようとする課題】
【０００６】
しかしながら前記従来の電気掃除機においては、接続口１４に設けた吸込具１６は自由に屈曲可能に構成されており、またハンドル１７までを含めた全高が比較的高いため、吸込具１６を床面に置いて本体１５を立てたとき、本体１５全体の重心点が吸込具１６の屈曲点の高方に略近くなり、本体１５に少しの力を加えただけで後ろ方向に屈曲し、転倒しやすい特徴を持っており、家具の隙間等を吸引したいとき等は、隙間ノズル２０を片手に持ち、もう片方の手でハンドル１７を持ち、その結果両方手が塞がってしまい、掃除する部分に障害物等があったときには、いちいち隙間ノズル２０を離してそれを退ける必要があり、大変手間がかかる等の問題があった。
【０００７】
本発明は上記課題を解決するもので、細部の掃除中に隙間ノズルを持ち替える必要が無く、非常に使いやすい電気掃除機を提供することを目的とする。
【課題を解決するための手段】
【０００８】
上記従来の課題を解決するために本発明の電気掃除機は、吸込口を有する吸込具と、電動送風機を内部に収納するとともに前記吸込具上方で回動可能に軸支された本体と、前記本体に着脱自在に設けられるとともに先端部に中空吸引部を有するハンドルと、前記電動送風機の吸引力を前記中空吸引部に伝達するホースと、前記吸込具裏面に回転可能に軸支されたローラーとを設け、前記本体の重心点は当該本体の回動中心より前方に構成したものであり、床面を掃除中に家具の隙間等を掃除しようとしたとき、ハンドルを本体から外すだけで先端の中空吸引部より塵埃をすぐに吸引できるものであり、またハンドルを持つ以外の手で本体を支えることなく、本体が後方に回動しそのまま転倒してしまうこともないため、掃除面の障害物を簡単に移動させることができ、そのままホースを引張ったときにも、本体が後方に回動しそのまま転倒することなく、電気掃除機が作業者について移動することができ、あたかも床移動型の電気掃除機の様にも使用することができ、非常に使い易いものである。
【発明の効果】
【０００９】
本発明の電気掃除機は、床面の掃除作業中に家具の隙間等の狭い部分を掃除する必要が生じたとき、ハンドルを本体から外すだけで先端の中空吸引部より塵埃をすぐに吸引でき、ハンドルを持つ以外の手で本体を支えることなく、本体が後方に回動しそのまま転倒しないため、掃除面の障害物を簡単に移動させることができ、そのままホースを引張っても、本体が後方に回動して転倒することがないため、電気掃除機が作業者について移動し、あたかも床移動型の電気掃除機の様にも使用することができ、非常に使い易い電気掃除機を提供することができる。
【発明を実施するための最良の形態】
【００１０】
第１の発明は、吸込口を有する吸込具と、電動送風機を内部に収納するとともに前記吸込具上方で回動可能に軸支された本体と、前記本体に着脱自在に設けられるとともに先端部に中空吸引部を有するハンドルと、前記電動送風機の吸引力を前記中空吸引部に伝達するホースと、前記吸込具裏面に回転可能に軸支されたローラーとを設け、前記本体の重心点は当該本体の回動中心より前方に構成したものであり、床面を掃除中に家具の隙間等を掃除しようとしたとき、ハンドルを本体から外すだけで先端の中空吸引部より塵埃をすぐに吸引できるものであり、ハンドルを持つ以外の手で本体を支えることなく、本体が後方に回動しそのまま転倒してしまうこともないため、掃除面の障害物を簡単に移動させることが可能であり、そのままホースを引っ張ったときにも、本体が後方に回動しそのまま転倒することなく、電気掃除機が作業者について移動することができ、あたかも床移動型の電気掃除機の様にも使用することができ、非常に使い易い。
【００１１】
第２の発明は、ホースは本体重心点より下方の吸込具後方近傍より突出し、ハンドルへと連通するものであり、家具の隙間等を掃除しようとしたときには、ハンドルを本体から外して引っ張り、ホースに張力が働いた状態で先端の中空吸引部より塵埃を吸引するが、ホースは本体重心点より下方の吸込具後方近傍より突出しているため、本体の下方にホースからの張力が伝達されることとなり、本体を吸込具後方に回動させようとする力が働きにくく、本体が後方に転倒することもないため、より安定して掃除作業が行なえる。
【００１２】
第３の発明は、本体を吸込具前方に回動したとき、本体の後方への回動を規制する回動規制手段を設けたものであり、家具の隙間等を掃除しようとしたときには、ハンドルを本体から外して引っ張り、ホースに張力が働いた状態で先端の中空吸引部より塵埃を吸引するが、本体の後方への回動を規制する回動規制手段を設けたため、本体が後方に転倒することもなく、より安定して掃除作業が行なえる。
【００１３】
第４の発明は、本体からハンドルを抜いたとき、吸込具内の吸込口への吸引力供給を停止するものであり、床面を掃除中に家具の隙間等を掃除しようとしたとき、ハンドルを本体から外すだけで吸込具内の吸込口への吸引力供給を停止され、電動送風機で発生させた吸引力を全てホ−スを介してハンドルへと伝えることができ、先端の中空吸引部より強力に塵埃を吸引できるものであり、家具の隙間の奥等の塵埃が非常に吸引しやすい。
【００１４】
第５の発明は、本体からハンドルを抜いたとき、吸込具内の吸込口へ供給する吸引力と、ハンドルへ供給する吸引力の比率を調整する吸引力調整手段を設けたものであり、この吸引力調整手段を調整することで、電動送風機で発生させた吸引力を全てホ−スを介してハンドルへと伝え、強力に家具の隙間の奥等の塵埃を吸引したり、また電動送風機で発生させた吸引力を全て吸込具の吸込口に伝えることで、例えばハンドルを引っ張りながら吸込口より床面の塵埃を吸引したり、また双方に吸引力を分配することで、家具の隙間と床面を同時に掃除したりすることができ、使用形態を増すことができるため、非常に使いやすい。
【００１５】
（実施の形態１）
以下、本発明の第１の実施の形態を、図を用いて説明する。
【００１６】
図１〜図４は本発明の実施の形態１における電気掃除機の断面図を示すものである。図１〜図４において、電気掃除機１は、塵埃を吸引する吸込具２及び電動送風機３を収納した本体４、及び前記本体４に抜差し可能に設けられたハンドル５、さらに前記ハンドル５に、前記電動送風機３で発生した吸引力を伝達する伸縮可能なホース６で構成されている。
【００１７】
前記吸込具２は、その裏面前方に構成された吸込口７と、前記吸込口７より吸引した塵埃をためる集塵室８から構成されており、前記吸込口７近傍には、床面を移動するための複数の前ローラー９が回転可能に軸支され、さらにその後方のハンドル５接合部直下近傍では、一輪の後ローラー１０が、軸支手段１１との間に隙間を設けた状態で、回転可能に軸支され、前記後ローラー１０上方に構成した回動軸１２を回動中心として、本体４が前記吸込具２の前後方向に回動可能に軸支されている。
【００１８】
前記本体４内には、塵埃を吸引する吸引力を発生させる電動送風機３、及び前記電動送風機３に電流を供給するコードリール１３が収納されており、さらにその上方に構成したハンドル収納部１４には、ハンドル５が抜挿し可能に設けられている。
【００１９】
前記ハンドル５は、上方に把手部１５を設け、先端部が中空の中空吸引部１６を構成し、その先端の小型吸込口１７から吸引した塵埃を、中空吸引部１６、吸込具２へと連通するホース６を通じ、集塵室８に捕集する様、各々連通して構成されている。
【００２０】
前記本体４を前記吸込具２前方に回動させたとき、内部の電動送風機３及びコードリール１３が回動軸１２よりも前方に位置されるため、即ち本体４全体の重心点が回動軸１２よりも前方に構成されることとなる。
【００２１】
さらに前記本体４前方には凹部を形成した引掛り具１８、吸込具２上方には凸部を形成した引掛け具１９が構成されており、本体４が前方に回動し、前記引掛け具１９が前記引掛り具１８に係止したとき、前記本体４が容易に後方に回動することを規制する。
【００２２】
前記ハンドル５を前記ハンドル収納部１４に挿入したとき、中空吸引部１６の先端がスイッチ２０を附勢し、このとき吸込具２の吸込口７に設けた電磁弁２１を開放するように制御し、前記ハンドル５を前記ハンドル収納部１４から抜いたとき、前記スイッチ２０への附勢が解除され、電磁弁２１を閉鎖するように制御するため、前記吸込口７からの吸引力を停止するように構成されている。
【００２３】
以上のように構成された電気掃除機において、以下その動作、作用を説明する。
【００２４】
床面を掃除するときには、ハンドル５を持ち、後方に回動させた状態で使用するが、このとき吸込具２を横方向にずらしながら前後移動させるが、ハンドル５を押す力が後ローラー１０一輪にかかり、後ローラー１０と掃除面が接触する微小面を回転中心として容易に吸込具２の方向転換ができると共に、後ローラー１０がその軸支手段１１の間に設けた隙間を移動するため軽く方向転換でき、簡単に吸込具２の進行方向を変えることができ、より簡単に掃除作業が行えるものであり、床面を掃除中に家具の隙間等を掃除しようとしたときには、ハンドル５を本体４から外すことで先端の中空吸引部１６より塵埃を強力にすぐに吸引でき、ハンドル５を持つ以外の手で本体４が傾くのを支えることなく、本体４が後方に回動しそのまま転倒してしまうこともないため、掃除面の障害物を簡単に移動させることが可能であり、そのままホース６を引っ張ったときにも、本体４が後方に回動しそのまま転倒せず、電気掃除機１が作業者について移動することができ、あたかも床移動型の電気掃除機１の様にも使用することができ、非常に使い易いものである。またこのとき、ホース６は本体４下方の吸込具２後方近傍より突出しているため、本体４の下方にホース６からの張力が伝達され、本体４を吸込具２後方に回動させようとする力が働きにくく、本体４が後方に転倒することもないため、より安定して掃除作業が行なえる。さらにこのとき、本体４の後方への回動を規制するため、引掛け具１９を引掛り具１８に係止させ、前記本体４が容易に後方に回動しないようにしたため、ホース６を急に引張った場合においても安定して電気掃除機１の移動が行え、使いやすい。また本体４からハンドル５を抜いたとき、吸込具２内の吸込口７への吸引力供給を自動的に停止することにより、床面を掃除中に突然家具の隙間等を掃除しようとしたとき、電動送風機３で発生させた吸引力を全てホ−ス６を介して中空吸引部１６先端の小型吸込口１７へと伝えることができ、先端の中空吸引部１６より強力に塵埃を吸引でき、吸引力が弱くてイライラすることもなく、即座に掃除ができる。
【００２５】
（実施の形態２）
次に、本発明の第２の実施の形態を、図５〜図８を用いて説明する。なお、第１の実施の形態と同一構成部品には同一符号を付与し、その説明を省略する。
【００２６】
図５〜図８は本発明の実施の形態２における断面図であり、ハンドル５に、吸込具２内の吸込口７へ供給する吸引力と、ハンドル５へ供給する吸引力の比率を調整するバルブ部２２が構成されている。前記バルブ部２２は、操作部２３を有する回転軸２４がハンドル５を貫通して回転可能に軸支され、前記ハンドル５内の回転軸２４に、羽根２５が設けられている。前記羽根２５をハンドル５と平行になるように回転軸２４を回転させたとき、ハンドル５先端の小型吸込口１７から吸引する吸引力は最大となり、吸込具２の吸込口７から吸引する吸引力が最小となる。また前記羽根２５をハンドル５と垂直になるように回転軸２４を回転させたとき、ハンドル５先端の小型吸込口１７から吸引する吸引力は最小となり、吸込具２の吸込口７から吸引する吸引力が最大となる。さらにハンドル５内部には、モ−タ−２６とファン２７からなる吸引手段２８が設けられ、前記ファン２７が回転することによる働きで吸引力を補助する構成となっている。
【００２７】
またハンドル５接合部直下近傍では、一輪の後ローラー１０が、吸込具２の左右方向にも回転できるように軸支されていると共に、吸込口７との間に吸引力を伝達する溝状の吸込通路２９が構成されている。
【００２８】
以上のように構成された電気掃除機１において、以下その動作、作用を説明する。
【００２９】
床面を掃除するときには、ハンドル５を持ち、後方に回動させた状態で使用するが、このとき吸込具２を横方向にずらしながら前後移動させるが、ハンドル５を押す力が後ローラー１０一輪にかかり、後ローラー１０が吸込具２の左右方向に回転するため、容易に吸込具２の方向転換ができ、より軽い力で簡単に掃除作業が行える。
【００３０】
床面を掃除中に家具の隙間等を掃除しようとしたときには、ハンドル５を本体４から外すことで先端の中空吸引部１６より塵埃をすぐに吸引でき、ハンドル５を持つ以外の手で本体４が傾くのを支えることなく、本体４が後方に回動しそのまま転倒してしまうこともないため、掃除面の障害物を簡単に移動させることが可能であり、ハンドル５手元の操作部２３を回転させるだけで吸引力の調整が簡単に行え、いちいち操作するためにハンドル５を離す等の作業を必要とせず、操作部２３を回転させることで容易に吸引力が調整でき、例えばハンドル５を引っ張りながら吸込口７より床面の塵埃を吸引したり、また双方に吸引力を分配することで、家具の隙間と床面を同時に掃除したりすることができ、使用形態を増すことができるため、非常に使いやすい。
【００３１】
またハンドル５に中空吸引部１６からの吸引力を補助する、モ−タ−２６とファン２７からなる吸引手段２８を設けたため、ホース６・ハンドル５の距離が長いための圧力損失分を補助し、中空吸引部１６での吸込力低下を防止することができ、強力に家具の隙間の奥等の塵埃を吸引することができるため、素早く掃除を行うことができる。
【００３２】
さらに吸引力を吸込口７と中空吸引部１６に分配し、電気掃除機１を移動させながら掃除面の塵埃を吸引するときにも、吸込具２裏面の吸込口７と後ローラー１０の間に吸込通路２９を設けたため、後ローラー１０と軸支手段１１の間に塵埃が付着することなく、後ローラー１０の回転ロックのために床面を摩擦し、床面に傷を付けてしまうこともないため、非常に安心して使用できる。
【産業上の利用可能性】
【００３３】
以上のように、本発明にかかる電気掃除機によれば、簡単な操作で使用用途が多く、また安心して使える、使い易い電気掃除機を提供できる。
【図面の簡単な説明】
【００３４】
【図１】本発明の実施の形態１を示す電気掃除機の断面図
【図２】同電気掃除機の後部から見た断面図
【図３】同電気掃除機の要部を示す断面図
【図４】同電気掃除機の底部から見た詳細図
【図５】本発明の実施の形態２を示す電気掃除機の底部から見た詳細図
【図６】同電気掃除機の断面図
【図７】同電気掃除機のバルブ部を示す断面図
【図８】同電気掃除機の吸引手段を示す断面図
【図９】従来の電気掃除機の外観図
【符号の説明】
【００３５】
１    電気掃除機
２    吸込具
３    電動送風機
４    本体
５    ハンドル
６    ホース
７    吸込口
９    前ローラー
１０  後ローラー
１１  軸支手段
１２  回動軸
１６  中空吸引部
１８  引掛り具
１９  引掛け具
２２  バルブ部
２８  吸引手段
２９  吸込通路
【図１】
2006218150.tif 000003
【図２】
2006218150.tif 000004
【図３】
2006218150.tif 000005
【図４】
2006218150.tif 000006
【図５】
2006218150.tif 000007
【図６】
2006218150.tif 000008
【図７】
2006218150.tif 000009
【図８】
2006218150.tif 000010
【図９】
2006218150.tif 000011